【手続補正書】
【提出日】平成21年4月23日(2009.4.23)
【手続補正１】
【補正対象書類名】特許請求の範囲
【補正対象項目名】全文
【補正方法】変更
【補正の内容】
【特許請求の範囲】
【請求項１】
複数のジョブを１つの印刷用紙にレイアウトして印刷するための印刷データを生成する情報処理装置であって、
入力された複数のジョブを１つの印刷用紙にレイアウトして印刷するための複数のレイアウト候補を作成する作成手段と、
前記作成手段で作成した各レイアウト候補について規定されるレイアウトにおける、前記印刷用紙上の断裁線に基づく断裁回数と、断裁処理時に必要とする前記印刷用紙の回転回数を決定する決定手段と、
複数のレイアウト候補から１つのレイアウト候補を選択するための選択条件を入力する入力手段と、
前記入力手段により入力された選択条件と、前記決定手段で決定された断裁回数または回転回数とに基づいて、前記作成手段により作成された複数のレイアウト候補から、前記複数のジョブに対して適用するレイアウト候補を選択する選択手段と、
前記選択手段で選択したレイアウト候補に従って、前記複数のジョブを１つの印刷用紙に印刷するための印刷データを生成する生成手段と
を備えることを特徴とする情報処理装置。
【請求項２】
前記選択条件として、前記断裁回数及び前記回転回数それぞれに対する重要度を設定する設定手段と、
前記設定手段で設定された重要度に基づいて、前記作成手段で作成したレイアウト候補それぞれについて、前記決定手段で決定された断裁回数及び回転回数から断裁難易度を計算する計算手段を更に備える
ことを特徴とする請求項１に記載の情報処理装置。
【請求項３】
前記生成手段は、前記選択手段で選択されたレイアウトに基づいて、当該レイアウトの断裁線及びその断裁順序を示す断裁順番号を印刷するための印刷データを生成する
ことを特徴とする請求項１に記載の情報処理装置。
【請求項４】
前記作成手段は、処理対象のジョブの個数が所定値以上である場合に、該処理対象のジョブを、その面積順に従って１つの印刷用紙にレイアウトして印刷するためのレイアウト候補を作成する
ことを特徴とする請求項１に記載の情報処理装置。
【請求項５】
前記計算手段で計算した断裁難易度の内、最小の断裁難易度のレイアウト候補が複数存在する場合、前記選択手段は、その複数の最小の断裁難易度のレイアウト候補のいずれかを選択するための選択画面を生成し、その選択画面を介して選択されたレイアウト候補を、前記複数のジョブに対するレイアウトとして選択する
ことを特徴とする請求項２に記載の情報処理装置。
【請求項６】
前記選択手段は、前記選択画面による選択がなされない場合、デフォルト設定のレイアウト候補に従うか否かを確認するための確認画面を生成し、前記確認画面を介してデフォルト設定のレイアウト候補に従うことが指定された場合、そのデフォルト設定のレイアウト候補を、前記複数のジョブに対するレイアウトとして選択する
ことを特徴とする請求項５に記載の情報処理装置。
【請求項７】
前記選択手段で選択するレイアウト候補に対応する断裁回数及び回転回数の制限値を設定する制限値設定手段を更に備える
ことを特徴とする請求項１に記載の情報処理装置。
【請求項８】
前記制限値設定手段で制限値が設定されている場合、前記選択手段は、その制限値を満足するレイアウト候補の内で、前記選択条件に従って、レイアウト候補を選択する
ことを特徴とする請求項７に記載の情報処理装置。
【請求項９】
前記印刷データに基づく印刷物の後処理装置の種類を選択する後処理装置選択手段を更に備え、
前記計算手段は、前記作成手段で作成されたレイアウト候補それぞれについて前記決定手段で決定された断裁回数と回転回数と、前記後処理装置選択手段で選択された後処理装置に対するデバイス情報に基づいて、各レイアウト候補に対応する断裁難易度を計算する
ことを特徴とする請求項２に記載の情報処理装置。
【請求項１０】
複数のジョブを１つの印刷用紙にレイアウトして印刷するための印刷データを生成する情報処理装置の制御方法であって、
作成手段が、入力された複数のジョブを１つの印刷用紙にレイアウトして印刷するための複数のレイアウト候補を作成する作成工程と、
決定手段が、前記作成工程で作成した各レイアウト候補について規定されるレイアウトにおける、前記印刷用紙上の断裁線に基づく断裁回数と、断裁処理時に必要とする前記印刷用紙の回転回数を決定する決定工程と、
入力手段が、複数のレイアウト候補から１つのレイアウト候補を選択するための選択条件を入力する入力工程と、
選択手段が、前記入力工程により入力された選択条件と、前記決定工程で決定された断裁回数または回転回数とに基づいて、前記作成工程により作成された複数のレイアウト候補から、前記複数のジョブに対して適用するレイアウト候補を選択する選択工程と、
生成手段が、前記選択工程で選択したレイアウト候補に従って、前記複数のジョブを１つの印刷用紙に印刷するための印刷データを生成する生成工程と
を備えることを特徴とする情報処理装置の制御方法。
【請求項１１】
設定手段が、前記選択条件として、前記断裁回数及び前記回転回数それぞれに対する重要度を設定する設定工程と、
計算手段が、前記設定工程で設定された重要度に基づいて、前記作成工程で作成したレイアウト候補それぞれについて、前記決定工程で決定された断裁回数及び回転回数から断裁難易度を計算する計算工程を更に備える
ことを特徴とする請求項１０に記載の情報処理装置の制御方法。
【請求項１２】
前記生成工程は、前記選択工程で選択されたレイアウトに基づいて、当該レイアウトの断裁線及びその断裁順序を示す断裁順番号を印刷するための印刷データを生成する
ことを特徴とする請求項１０に記載の情報処理装置の制御方法。
【請求項１３】
前記作成工程は、処理対象のジョブの個数が所定値以上である場合に、該処理対象のジョブを、その面積順に従って１つの印刷用紙にレイアウトして印刷するためのレイアウト候補を作成する
ことを特徴とする請求項１０に記載の情報処理装置の制御方法。
【請求項１４】
前記計算工程で計算した断裁難易度の内、最小の断裁難易度のレイアウト候補が複数存在する場合、前記選択工程は、その複数の最小の断裁難易度のレイアウト候補のいずれかを選択するための選択画面を生成し、その選択画面を介して選択されたレイアウト候補を、前記複数のジョブに対するレイアウトとして選択する
ことを特徴とする請求項１１に記載の情報処理装置の制御方法。
【請求項１５】
前記選択工程は、前記選択画面による選択がなされない場合、デフォルト設定のレイアウト候補に従うか否かを確認するための確認画面を生成し、前記確認画面を介してデフォルト設定のレイアウト候補に従うことが指定された場合、そのデフォルト設定のレイアウト候補を、前記複数のジョブに対するレイアウトとして選択する
ことを特徴とする請求項１４に記載の情報処理装置の制御方法。
【請求項１６】
制限値設定手段が、前記選択工程で選択するレイアウト候補に対応する断裁回数及び回転回数の制限値を設定する制限値設定工程を更に備える
ことを特徴とする請求項１０に記載の情報処理装置の制御方法。
【請求項１７】
前記制限値設定工程で制限値が設定されている場合、前記選択工程は、その制限値を満足するレイアウト候補の内で、前記選択条件に従って、レイアウト候補を選択する
ことを特徴とする請求項１６に記載の情報処理装置の制御方法。
【請求項１８】
後処理装置選択手段が、前記印刷データに基づく印刷物の後処理装置の種類を選択する後処理装置選択工程を更に備え、
前記計算工程は、前記作成工程で作成されたレイアウト候補それぞれについて前記決定工程で決定された断裁回数と回転回数と、前記後処理装置選択工程で選択された後処理装置に対するデバイス情報に基づいて、各レイアウト候補に対応する断裁難易度を計算する
ことを特徴とする請求項１１に記載の情報処理装置の制御方法。
【請求項１９】
複数のジョブを１つの印刷用紙にレイアウトして印刷するための印刷データを生成する情報処理装置の制御をコンピュータに実行させるためのプログラムであって、
前記コンピュータを、
入力された複数のジョブを１つの印刷用紙にレイアウトして印刷するための複数のレイアウト候補を作成する作成手段と、
前記作成手段で作成した各レイアウト候補について規定されるレイアウトにおける、前記印刷用紙上の断裁線に基づく断裁回数と、断裁処理時に必要とする前記印刷用紙の回転回数を決定する決定手段と、
複数のレイアウト候補から１つのレイアウト候補を選択するための選択条件を入力する入力手段と、
前記入力手段により入力された選択条件と、前記決定手段で決定された断裁回数または回転回数とに基づいて、前記作成手段により作成された複数のレイアウト候補から、前記複数のジョブに対して適用するレイアウト候補を選択する選択手段と、
前記選択手段で選択したレイアウト候補に従って、前記複数のジョブを１つの印刷用紙に印刷するための印刷データを生成する生成手段と
として機能させることを特徴とするプログラム。